(57)【特許請求の範囲】
【請求項１】
ネットワークオークションに出品された複数の商品について、それぞれ、現在の最高入札額を記憶する記憶部と、
前記複数の商品が並べられたリストと、前記リストに含まれる前記複数の商品のうち２以上の商品に対して一括して入札を行うための入札操作画像とを含むウェブページの情報を、端末装置からの要求に応じて前記端末装置に送信する通信部と、
前記入札操作画像に対する操作が前記端末装置によって検出されたとき、一括での入札の対象となった前記２以上の商品について、それぞれ、前記最高入札額を所定の更新幅で更新する制御部と
を具備し、
前記記憶部は、前記複数の商品について、それぞれ、前記最高入札額での入札を行った落札候補者の識別情報をさらに記憶し、
前記通信部は、前記入札操作画像に対する操作が前記端末装置によって検出されたとき、前記入札操作画像を操作した入札者の識別情報を前記端末装置から受信し、
前記制御部は、一括での入札の対象となった前記２以上の商品の中から、前記落札候補者の識別情報と、前記入札者の識別情報とが一致しない商品を抽出し、抽出した商品について前記最高入札額を更新する
サーバ装置。
【請求項２】
請求項１に記載のサーバ装置であって、
前記制御部は、一括での入札の対象となった前記２以上の商品の情報に基づいて、前記入札操作画像を操作した入札者に対して推奨を行うための他の商品を選択し、選択された他の商品の情報を通信部から前記端末装置に送信させる
サーバ装置。
【請求項３】
請求項２に記載のサーバ装置であって、
前記記憶部は、前記複数の商品について、それぞれ、出品者の識別情報をさらに記憶し、
前記制御部は、前記入札操作画像に対する操作が前記端末装置によって検出されたとき、前記出品者の識別情報に基づいて、一括での入札の対象となった前記２以上の商品の中に、共通の出品者によって出品された商品が含まれるかどうかを判定し、共通の出品者によって出品された商品が含まれる場合に、前記共通の出品者によって出品された他の商品の情報を前記通信部から前記端末装置に送信させる
サーバ装置。
【請求項４】
請求項２に記載のサーバ装置であって、
前記記憶部は、前記複数の商品について、それぞれ、商品の種類の情報をさらに記憶し、
前記制御部は、前記入札操作画像に対する操作が前記端末装置によって検出されたとき、前記商品の種類の情報に基づいて、一括での入札の対象となった前記２以上の商品の中に、共通の種類の商品が含まれるかどうかを判定し、共通の種類の商品が含まれる場合に、前記商品と同じ種類の他の商品の情報を前記通信部から前記端末装置に送信させる
サーバ装置。
【請求項５】
請求項１に記載のサーバ装置であって、
前記制御部は、前記複数の商品について、それぞれ、前記最高入札額の上昇率を判定し、前記入札操作画像に対する操作が前記端末装置によって検出されたとき、一括での入札の対象となった前記２以上の商品の中に、前記最高入札額の上昇率が閾値を超える商品が含まれるかどうかを判定する
サーバ装置。
【請求項６】
請求項５に記載のサーバ装置であって、
前記制御部は、前記上昇率が閾値を超える商品が含まれる場合、前記上昇率が閾値を超える商品について入札を行うかどうかを確認するための画像を表示させるように前記通信部を介して前記端末装置に通知する
サーバ装置。
【請求項７】
請求項５に記載のサーバ装置であって、
前記制御部は、前記上昇率が閾値を超える商品が含まれる場合、前記上昇率が閾値を超える商品以外の商品について、前記最高入札額の更新を行う
サーバ装置。
【請求項８】
請求項１に記載のサーバ装置であって、
前記制御部は、前記入札操作画像に対する操作が前記端末装置によって検出されたとき、一括での入札の対象となった前記２以上の商品におけるそれぞれの前記最高入札額に基づいて、前記２以上の商品におけるそれぞれの前記更新幅を可変に制御する
サーバ装置。
【請求項９】
請求項１に記載のサーバ装置であって、
前記記憶部は、自動的に入札が行われる自動入札の最高額である自動入札最高額を記憶し、
前記制御部は、前記最高入札額と、前記自動入札最高額とを比較し、前記自動入札最高額が前記最高入札額よりも高い場合には、前記自動入札最高額を上限として、前記最高入札額を超える入札額で前記最高入札額を自動的に更新する自動入札処理を実行し、前記入札操作画像に対する操作が前記端末装置によって検出されたとき、前記最高入札額及び前記自動入札最高額の比率を判定し、前記比率に基づいて、前記更新幅を可変に制御する
サーバ装置。
【請求項１０】
端末装置と、
ネットワークオークションに出品された複数の商品について、それぞれ、現在の最高入札額を記憶する記憶部と、前記複数の商品が並べられたリストと、前記リストに含まれる前記複数の商品のうち２以上の商品に対して一括して入札を行うための入札操作画像とを含むウェブページの情報を、前記端末装置からの要求に応じて前記端末装置に送信する通信部と、前記入札操作画像に対する操作が前記端末装置によって検出されたとき、一括での入札の対象となった前記２以上の商品について、それぞれ、前記最高入札額を所定の更新幅で更新する制御部とを有するサーバ装置と
を具備し、
前記記憶部は、前記複数の商品について、それぞれ、前記最高入札額での入札を行った落札候補者の識別情報をさらに記憶し、
前記通信部は、前記入札操作画像に対する操作が前記端末装置によって検出されたとき、前記入札操作画像を操作した入札者の識別情報を前記端末装置から受信し、
前記制御部は、一括での入札の対象となった前記２以上の商品の中から、前記落札候補者の識別情報と、前記入札者の識別情報とが一致しない商品を抽出し、抽出した商品について前記最高入札額を更新する
ネットワークオークションシステム。
【請求項１１】
ネットワークオークションに出品された複数の商品について、それぞれ、現在の最高入札額を記憶し、
前記複数の商品が並べられたリストと、前記リストに含まれる前記複数の商品のうち２以上の商品に対して一括して入札を行うための入札操作画像とを含むウェブページの情報を、端末装置からの要求に応じて前記端末装置に送信し、
前記入札操作画像に対する操作が前記端末装置によって検出されたとき、一括での入札の対象となった前記２以上の商品について、それぞれ、前記最高入札額を所定の更新幅で更新し、
前記複数の商品について、それぞれ、前記最高入札額での入札を行った落札候補者の識別情報をさらに記憶し、
前記入札操作画像に対する操作が前記端末装置によって検出されたとき、前記入札操作画像を操作した入札者の識別情報を前記端末装置から受信し、
一括での入札の対象となった前記２以上の商品の中から、前記落札候補者の識別情報と、前記入札者の識別情報とが一致しない商品を抽出し、抽出した商品について前記最高入札額を更新する
ネットワークオークション処理方法。
【請求項１２】
サーバ装置に、
ネットワークオークションに出品された複数の商品について、それぞれ、現在の最高入札額を記憶するステップと、
前記複数の商品が並べられたリストと、前記リストに含まれる前記複数の商品のうち２以上の商品に対して一括して入札を行うための入札操作画像とを含むウェブページの情報を、端末装置からの要求に応じて前記端末装置に送信するステップと、
前記入札操作画像に対する操作が前記端末装置によって検出されたとき、一括での入札の対象となった前記２以上の商品について、それぞれ、前記最高入札額を所定の更新幅で更新するステップと、
前記複数の商品について、それぞれ、前記最高入札額での入札を行った落札候補者の識別情報をさらに記憶するステップと、
前記入札操作画像に対する操作が前記端末装置によって検出されたとき、前記入札操作画像を操作した入札者の識別情報を前記端末装置から受信するステップと、
一括での入札の対象となった前記２以上の商品の中から、前記落札候補者の識別情報と、前記入札者の識別情報とが一致しない商品を抽出し、抽出した商品について前記最高入札額を更新するステップと
を実行させるプログラム。
【発明の詳細な説明】
【技術分野】
【０００１】
本技術は、ネットワークオークションに関する。
【背景技術】
【０００２】
従来から、ユーザが端末装置を利用してネットワーク上に商品を出品したり、ネットワーク上に出品された商品に対して入札を行ったりすることができるネットワークオークションと呼ばれる技術が広く知られている（例えば、下記特許文献１参照）。この種のネットワークオークションでは、競り上げ型のオークションや、クローズドオークション等が知られているが、一般的には、競り上げ型のオークションが採用される場合が多い。【０００３】
競り上げ型のオークションでは、出品された商品に対して、複数の入札者が所望の入札額で入札を行うことによって、最高入札額が競り上げられる。そして、最終的に最高入札額での入札を行った入札者がその商品を落札することができる。
【先行技術文献】
【特許文献】
【０００４】
【特許文献１】特開２０１１−２０４１１４号公報
【発明の概要】
【発明が解決しようとする課題】
【０００５】
従来においては、入札者が所望の入札額での入札を行おうとする場合、１つの商品に対して１回の操作（例えば、入札ボタンのクリック）が必要とされている。従って、入札者が複数の商品に対して入札を行おうとしている場合に、複数回の操作が必要となり、操作が煩わしいといった問題がある。【０００６】
以上のような事情に鑑み、本技術の目的は、入札者が複数の商品に対して入札を行おうとしている場合に、複数の商品に対して一括して入札を行うことができる技術を提供することにある。
【課題を解決するための手段】
【０００７】
本技術に係るサーバ装置は、記憶部と、通信部と、制御部とを具備する。
前記記憶部は、ネットワークオークションに出品された複数の商品について、それぞれ、現在の最高入札額を記憶する。
前記通信部は、前記複数の商品が並べられたリストと、前記リストに含まれる前記複数の商品のうち２以上の商品に対して一括して入札を行うための入札操作画像とを含むウェブページの情報を、端末装置からの要求に応じて前記端末装置に送信する。
前記制御部は、前記入札操作画像に対する操作が前記端末装置によって検出されたとき、一括での入札の対象となった前記２以上の商品について、それぞれ、前記最高入札額を所定の更新幅で更新する。【０００８】
本技術に係るサーバ装置では、ウェブページにおける入札操作画像が入札者によって操作されると、リストに含まれる複数の商品のうち２以上の商品について、それぞれ、現在の最高入札額が所定の更新幅で更新される。このように、本技術に係るサーバ装置では、入札者が複数の商品に対して入札を行おうとしている場合に、複数の商品に対して一括して入札を行うことができる。【０００９】
上記サーバ装置において、前記記憶部は、前記複数の商品について、それぞれ、前記最高入札額での入札を行った落札候補者の識別情報をさらに記憶してもよい。
この場合、前記通信部は、前記入札操作画像に対する操作が前記端末装置によって検出されたとき、前記入札操作画像を操作した入札者の識別情報を前記端末装置から受信してもよい。
この場合、前記制御部は、一括での入札の対象となった前記２以上の商品の中から、前記落札候補者の識別情報と、前記入札者の識別情報とが一致しない商品を抽出し、抽出した商品について前記最高入札額を更新してもよい。【００１０】
このサーバ装置では、落札候補者と、入札者とが一致しない商品について最高入札額が更新される。逆に、落札候補者と、入札者とが一致する商品については、最高入札額が更新されない。このため、このサーバ装置では、既にその入札者が落札候補者である商品について、最高入札額が更新されてしまうことを防止することができる。【００１１】
上記サーバ装置において、前記制御部は、一括での入札の対象となった前記２以上の商品の情報に基づいて、前記入札操作画像を操作した入札者に対して推奨を行うための他の商品を選択し、選択された他の商品の情報を通信部から前記端末装置に送信させてもよい。【００１２】
このように、一括での入札の対象となった２以上の商品の情報に基づいて、入札者に対して推奨を行うことによって、適切な推奨を行うことができる。【００１３】
上記サーバ装置において、前記記憶部は、前記複数の商品について、それぞれ、出品者の識別情報をさらに記憶してもよい。
この場合、前記制御部は、前記入札操作画像に対する操作が前記端末装置によって検出されたとき、前記出品者の識別情報に基づいて、一括での入札の対象となった前記２以上の商品の中に、共通の出品者によって出品された商品が含まれるかどうかを判定し、共通の出品者によって出品された商品が含まれる場合に、前記共通の出品者によって出品された他の商品の情報を前記通信部から前記端末装置に送信させてもよい。【００１４】
これにより、入札者に対して適切な推奨を行うことができる。【００１５】
上記サーバ装置において、前記記憶部は、前記複数の商品について、それぞれ、商品の種類の情報をさらに記憶してもよい。
この場合、前記制御部は、前記入札操作画像に対する操作が前記端末装置によって検出されたとき、前記商品の種類の情報に基づいて、一括での入札の対象となった前記２以上の商品の中に、共通の種類の商品が含まれるかどうかを判定し、共通の種類の商品が含まれる場合に、前記商品と同じ種類の他の商品の情報を前記通信部から前記端末装置に送信させてもよい。【００１６】
これにより、入札者に対して適切な推奨を行うことができる。【００１７】
上記サーバ装置において、前記制御部は、前記複数の商品について、それぞれ、前記最高入札額の上昇率を判定し、前記入札操作画像に対する操作が前記端末装置によって検出されたとき、一括での入札の対象となった前記２以上の商品の中に、前記最高入札額の上昇率が閾値を超える商品が含まれるかどうかを判定してもよい。【００１８】
上記サーバ装置において、前記制御部は、前記上昇率が閾値を超える商品が含まれる場合、前記上昇率が閾値を超える商品について入札をおこなうかどうかを確認するための画像を表示させるように前記通信部を介して前記端末装置に通知してもよい。【００１９】
これにより、一括での入札の対象となった２以上の商品の中に、最高入札額の上昇率が高い商品が含まれる場合に、その商品について入札を行うかどうかを確認するための画像が表示される。これにより、最高入札額が急に上がっており、入札者の意図に反して高額な入札が行われてしまうといったことを防止することができる。【００２０】
上記サーバ装置において、前記制御部は、前記上昇率が閾値を超える商品が含まれる場合、前記上昇率が閾値を超える商品以外の商品について、前記最高入札額の更新を行ってもよい。【００２１】
これにより、最高入札額が急に上がっており、入札者の意図に反して高額な入札が行われてしまうといったことを防止することができる。【００２２】
上記サーバ装置において、前記制御部は、前記入札操作画像に対する操作が前記端末装置によって検出されたとき、一括での入札の対象となった前記２以上の商品におけるそれぞれの前記最高入札額に基づいて、前記２以上の商品におけるそれぞれの前記更新幅を可変に制御してもよい。【００２３】
これにより、一括での入札の対象となった２以上の商品について、それぞれ、最高入札額に応じて更新幅を異ならせることができる。【００２４】
上記サーバ装置において、前記記憶部は、自動的に入札が行われる自動入札の最高額である自動入札最高額を記憶してもよい。
この場合、前記制御部は、前記最高入札額と、前記自動入札最高額とを比較し、前記自動入札最高額が前記最高入札額よりも高い場合には、前記自動入札最高額を上限として、前記最高入札額を超える入札額で前記最高入札額を自動的に更新する自動入札処理を実行し、前記入札操作画像に対する操作が前記端末装置によって検出されたとき、前記最高入札額及び前記自動入札最高額の比率を判定し、前記比率に基づいて、前記更新幅を可変に制御してもよい。【００２５】
ここで、例えば、他人が自動入札最高額を設定しており、自動入札最高額が現在の最高入札額に対して比率が高いような場合を想定する。この場合、入札操作画像が操作されたときの最高入札額の更新幅が一定であると、入札者は入札操作画像を何回も操作する必要がある。一方、上記のように、最高入札額及び自動入札最高額の比率に基づいて、更新幅を可変に制御する（例えば、比率が高くなるほど更新幅を上げる）ことによって、入札者が入札操作画像を操作する回数を減らすことができる。【００２６】
本技術に係るネットオークションシステムは、端末装置と、サーバ装置とを具備する。
前記サーバ装置は、記憶部と、通信部と、制御部とを有する。
前記記憶部は、ネットワークオークションに出品された複数の商品について、それぞれ、現在の最高入札額を記憶する。
前記通信部は、前記複数の商品が並べられたリストと、前記リストに含まれる前記複数の商品のうち２以上の商品に対して一括して入札を行うための入札操作画像とを含むウェブページの情報を、前記端末装置からの要求に応じて前記端末装置に送信する。
前記制御部は、前記入札操作画像に対する操作が前記端末装置によって検出されたとき、一括での入札の対象となった前記２以上の商品について、それぞれ、前記最高入札額を所定の更新幅で更新する。【００２７】
本技術に係るネットワークオークション処理方法は、ネットワークオークションに出品された複数の商品について、それぞれ、現在の最高入札額を記憶することを含む。
前記複数の商品が並べられたリストと、前記リストに含まれる前記複数の商品のうち２以上の商品に対して一括して入札を行うための入札操作画像とを含むウェブページの情報が、端末装置からの要求に応じて前記端末装置に送信される。
前記入札操作画像に対する操作が前記端末装置によって検出されたとき、一括での入札の対象となった前記２以上の商品について、それぞれ、前記最高入札額が所定の更新幅で更新される。【００２８】
本技術に係るプログラムは、サーバ装置に、
ネットワークオークションに出品された複数の商品について、それぞれ、現在の最高入札額を記憶するステップと、
前記複数の商品が並べられたリストと、前記リストに含まれる前記複数の商品のうち２以上の商品に対して一括して入札を行うための入札操作画像とを含むウェブページの情報を、端末装置からの要求に応じて前記端末装置に送信するステップと、
前記入札操作画像に対する操作が前記端末装置によって検出されたとき、一括での入札の対象となった前記２以上の商品について、それぞれ、前記最高入札額を所定の更新幅で更新するステップと
を実行させる。
【発明の効果】
【００２９】
以上のように、本技術によれば、入札者が複数の商品に対して入札を行おうとしている場合に、複数の商品に対して一括して入札を行うことができる技術を提供することができる。
【図面の簡単な説明】
【００３０】
【図１】本技術の第１実施形態に係るネットワークオークションシステムの構成を示す図である。
【図２】ネットワークシステムが有するサーバ装置の内部構成を示す図である。
【図３】サーバ装置の記憶部に記憶されるオークション情報を示す図である。
【図４】ネットワークシステムが有する端末装置の内部構成を示す図である。
【図５】本技術の第１実施形態に係るネットワークオークションシステムの動作を示す図である。
【図６】端末装置の画面上に表示される出品リストを含むウェブページの一例を示す図である。
【図７】画面上に表示されるウォッチリストを含むウェブページの一例を示す図である。
【図８】本技術の第２実施形態に係るネットワークオークションシステムの動作を示す図である。
【図９】本技術の第３実施形態において、音符付きのＴシャツがウォッチリストに追加されたときの様子を示す図である。
【図１０】本技術の第４実施形態において、確認画像が端末装置の画面上に表示されたときの様子を示す図である。
【発明を実施するための形態】
【００３１】
以下、本技術に係る実施形態を、図面を参照しながら説明する。
【００３２】
＜第１実施形態＞
図１は、本技術の第１実施形態に係るネットワークオークションシステム１０の構成を示す図である。図１に示すように、ネットワークオークションシステム１０は、サーバ装置１１と、複数の端末装置１２とを有する。サーバ装置１１と、複数の端末装置１２とは、ネットワーク１３を介して相互に通信可能とされている。ネットワーク１３は、例えば、インターネット、専用通信回線（例えば、ＣＡＴＶ（Community Antenna Television）回線）、移動体通信網（基地局等を含む）、ゲートウェイ等により構築されている。
【００３３】
サーバ装置１１は、商品の出品や入札などのネットワークオークションに関する各種処理を実行する。例えば、サーバ装置１１は、端末装置１２から送信された、出品者により出品された商品の情報を記憶したり、端末装置１２からの要求に応じて、出品された商品のリストである出品リスト２１（図６参照）を含むウェブページを端末装置１２に送信したりする。なお、本実施形態においては、ネットワークオークションは、競り上げ型のオークションである。
【００３４】
端末装置１２は、個人的にネットワークオークションに参加するユーザや、企業としてネットワークオークションに参加するユーザによって用いられる。端末装置１２としては、例えば、パーソナルコンピュータ、ＰＤＡ（Personal Digital Assistant）、携帯電話機（スマートフォンを含む）、携帯ゲーム機等が挙げられる。
【００３５】
端末装置１２は、ユーザによる入力操作の基づいてサーバ装置１１にアクセスしてウェブページの情報を受信したり、受信したウェブページの情報を画面上に表示させたりする。
【００３６】
図２は、サーバ装置１１の内部構成を示す図である。図２に示すように、サーバ装置１１は、制御部１、記憶部２、及び通信部３を有する。制御部１は、例えば、ＣＰＵ（Central Processing Unit）などにより構成され、サーバ装置１１の各部を統括的に制御する。通信部３は、制御部１の制御に応じて例えばＴＣＰ／ＩＰなどの通信プロトコルにより端末装置１２との間の通信を行う。
【００３７】
記憶部２は、制御部１の作業領域として用いられる揮発性のメモリ（例えば、ＲＡＭ（Random Access Memory））を含む。また、記憶部２は、制御部１の処理に用いられる各種のプログラムや、ネットワークオークションに関する各種の情報を記憶する不揮発性のメモリ（例えば、ＲＯＭ（Read Only Memory）、ＨＤＤ（Hard Disc Drive）、ＳＳＤ（Solid State Drive））を含む。
【００３８】
記憶部２には、上記各種のプログラムとして、ＯＳ（Operating System）、ＷＷＷサーバプログラム（ＷＷＷ：World Wide Web）、ＤＢＭＳ（DataBase Management System）が記憶されている。また、記憶部２には、上記各種のプログラムとして、制御部１がネットワークオークションに関する処理を実行するためのプログラムが記憶されている。これらの各種のプログラムは、光ディスクや、半導体メモリ等の可搬性の記録媒体から読み取られてもよいし、他の装置からネットワークを介して取得されてもよい。
【００３９】
また、記憶部２には、ネットワークオークションに関する各種の情報としてオークション情報が記憶される。図３は、記憶部２に記憶されるオークション情報を示す図である。図３に示すように、記憶部２には、オークション情報として、商品ＩＤと、ジャンルと、商品名と、出品者のユーザＩＤと、出品者のユーザ名と、開始価格と、最高入札額と、入札件数と、開始日時と、終了日時と、落札候補者のユーザＩＤと、落札候補者のユーザ名が記憶される。これらの情報は、テーブル化されて相互に関連付けられている。なお、記憶部２には、オークション情報として、出品された商品の画像データ等も記憶されている。
【００４０】
商品ＩＤは、出品された商品を一意に識別するための識別情報であり、商品が出品されたときにサーバ装置１１によって自動的にその番号が割り当てられる。ジャンル（商品の種類の情報）は、出品された商品のジャンルであり、その商品が出品されるときに端末装置１２を用いて出品者によって選択される。商品名は、出品された商品の名前、サイズ、製造国、製造会社、男性用／女性用、新品／中古、限定品等の商品に関する各種の情報であり、その商品が出品されるときに端末装置１２を用いて出品者によって入力される。
【００４１】
出品者のユーザＩＤ（出品者の識別情報）は、出品者を一意に識別するための識別情報である。このユーザＩＤとしては、サーバ装置１１にユーザの住所や本名などの登録が行われたときに、サーバ装置１１によって自動的にそのユーザに対して割り当てられたＩＤが用いられる。
【００４２】
出品者のユーザ名は、その出品者を識別するための名前である。このユーザ名としては、サーバ装置１１にユーザの住所や本名などの登録が行われたときに、端末装置１２を用いてユーザによって任意に選択された名前が用いられる。典型的には、このユーザ名は、ネットワークオークションにおいて用いられるニックネームであるが、ユーザの本名であってもよい。
【００４３】
開始価格は、ネットワークオークションを開始するときの価格であり、その商品が出品されるときに端末装置１２を用いて出品者によって入力される。最高入札額は、現時点においてその商品に対して行われた入札のうち、最も高い入札額である。端末装置１２を用いて入札者によって最高入札額を超える金額での入札が行われると、最高入札額は制御部１によって更新されることになる。
【００４４】
入札件数は、オークションが開始されてから現時点までに行われた入札の件数である。なお、端末装置１２を用いて入札者によって最高入札額を超える金額での入札が行われると、入札件数が制御部１によってプラス１される。
【００４５】
開始日時は、オークションが開始される日時であり、終了日時は、オークションが終了される日時である。開始日時、終了日時は、その商品が出品されるときに端末装置１２を用いて出品者によって入力されるか、あるいは、サーバ装置によって自動的に設定される。
【００４６】
落札候補者のユーザＩＤ（落札候補者の識別情報）は、現時点において最も高い入札額での入札を行った入札者のＩＤである。このユーザＩＤとしては、サーバ装置１１にユーザの住所や本名などの登録が行われたときに、サーバ装置１１によって自動的にそのユーザに対して割り当てられたＩＤが用いられる。
【００４７】
落札候補者のユーザ名は、現時点において最も高い入札額での入札を行った入札者の名前である。このユーザ名としては、サーバ装置１１にユーザの住所や本名などの登録が行われたときに、端末装置１２を用いてユーザによって任意に選択された名前が用いられる。典型的には、このユーザ名は、ネットワークオークションにおいて用いられるニックネームであるが、ユーザの本名であってもよい。
【００４８】
図４は、端末装置１２の内部構成を示す図である。図４に示すように、端末装置１２は、制御部４、記憶部５、通信部６、表示部７及び入力部８を含む。
【００４９】
制御部４は、例えば、ＣＰＵ（Central Processing Unit）などにより構成され、端末装置１２の各部を統括的に制御する。
【００５０】
記憶部５は、制御部４の作業領域として用いられる揮発性のメモリ（例えば、ＲＡＭ）を含む。また、記憶部５は、制御部４の処理に用いられる各種のプログラムなどを記憶する不揮発性のメモリ（例えば、ＲＯＭ、ＨＤＤ、ＳＳＤ）を含む。
【００５１】
記憶部５には、上記各種のプログラムとして、ＯＳ（Operating System）や、制御部４がネットワークオークションに関する処理を実行するためのプログラムが記憶されている。制御部４がネットワークオークションに関する処理を実行するためのプログラムとしては、典型的にはブラウザが用いられる。これらの各種のプログラムは、光ディスクや、半導体メモリ等の可搬性の記録媒体から読み取られてもよいし、他の装置からネットワークを介して取得されてもよい。
【００５２】
通信部６は、制御部４の制御に応じて例えばＴＣＰ／ＩＰなどの通信プロトコルによりサーバ装置１１との間の通信を行う。
【００５３】
表示部７は、例えば液晶ディスプレイによって構成され、制御部４の制御に応じて、例えば、出品リスト２１を含むウェブページなどを画面上に表示させる。入力部８は、例えば、キーボード、マウス、タッチセンサなどを含む。入力部８は、ユーザからの各種の操作を入力して制御部４に出力する。
【００５４】
次に、ネットワークオークションシステム１０の動作について説明する。図５は、ネットワークオークションシステム１０の動作を示す図である。図６は、端末装置１２の画面上に表示される出品リスト２１を含むウェブページの一例を示す図である。
【００５５】
ここで、図５の説明では、便宜的に、図６に示すような出品リスト２１を含むウェブページが端末装置１２の表示部７の画面上に表示された時点からの処理について説明する。なお、図６に示すような出品リスト２１を含むウェブページは、端末装置１２からの要求に応じて、サーバ装置１１によって生成され、端末装置１２の制御部４（ブラウザ）によって端末装置１２の画面上に表示される。
【００５６】
なお、図６に示す例では、出品リスト２１に含まれる商品の一例としてＴシャツが挙げられているが、商品の種類については特に制限はない。また、図６に示す例では、出品リスト２１に含まれる商品が全て同一種類の商品である場合が示されているが、出品リスト２１内に複数種類の商品が含まれていてもよい。また、図６に示す例では、複数の商品が上下方向に並べて表示されているが、複数の商品は横方向に並べて表示されていてもよいし、マトリクス上に並べて表示されていてもよい。これらについては、後述のウォッチリスト２３においても同様である。
【００５７】
図６において、画像の欄には、その商品に対応する画像が表示される。商品名の欄には、図３における商品名に対応する情報が表示される。例えば、商品名の欄には、出品された商品の名前、サイズ、製造国、製造会社、男性用／女性用、新品／中古、限定品等の商品に関する各種の情報が表示される。
【００５８】
また、商品名の欄には、「ウォッチリストに追加」ボタン２０が表示されている。「ウォッチリストに追加」ボタン２０は、対応する商品をウォッチリスト２３のウェブページ（図７参照）に追加するためのボタンである。入札者は、例えば、入札するかどうか迷っていたり、気になっていたりする商品に対応する「ウォッチリストに追加」ボタン２０をクリックすることによって、対応する商品をウォッチリスト２３に追加することができる。つまり、ウォッチリスト２３は、入札者が入札するかどうか迷っていたり、気になっていたりする商品が一覧として並べて表示されるリストである。
【００５９】
最高入札額の欄には、現時点においてその商品に対して行われた入札のうち、最も高い入札額が表示される。この最高入札額の欄には、図３における最高入札額に対応する情報が表示される。
【００６０】
入札件数の欄には、オークションが開始されてから現時点までに行われた入札の件数が表示される。なお、入札件数の欄には、図３における入札件数に対応する情報が表示される。
【００６１】
残り時間は、対応する商品のオークションが終了するまでの残りの時間である。この残り時間は、現在日時と、終了日時（図３参照）との差分であり、サーバ装置１１によって算出される。
【００６２】
また、出品リスト２１のウェブページには、「ウォッチリスト」ボタン２２が表示されている。この「ウォッチリスト」ボタンは、出品リスト２１のウェブページをウォッチリスト２３のウェブページに遷移させるためのボタンである。
【００６３】
図５を参照して、端末装置１２の制御部４は、出品リスト２１を含むウェブページの情報をサーバ装置１１から取得して表示部７の画面上に表示させる（ステップ１０１）。次に、端末装置１２の制御部４は、「ウォッチリストに追加」ボタン２０がクリックされたかどうかを判定する（ステップ１０２）。例えば、ユーザがマウスでポインタを移動させて「ウォッチリストに追加」ボタン２０上にポインタを位置させた後にマウスの左ボタンをクリックすると、「ウォッチリストに追加」ボタン２０がクリックされる。あるいは、ユーザが「ウォッチリストに追加」ボタン２０が表示されている位置を指でタッチすると、「ウォッチリストに追加」ボタン２０がクリックされる。
【００６４】
「ウォッチリストに追加」ボタン２０がクリックされると（ステップ１０２のＹＥＳ）、端末装置１２の制御部４は、対応する商品の商品ＩＤと、ユーザＩＤとをサーバ装置１１に送信する（ステップ１０３）。サーバ装置１１の制御部１は、端末装置１２から商品ＩＤ及びユーザＩＤを受信すると、これらのＩＤを関連付けて記憶部２に記憶することによって、ユーザ毎にウォッチリスト２３に含まれる商品を個別に管理する（ステップ２０１）。
【００６５】
端末装置１２の制御部４は、商品ＩＤ及びユーザＩＤをサーバ装置１１に送信した後、あるいは、ステップ１０２において「ウォッチリストに追加」ボタン２０がクリックされなかった場合、次のステップ１０４へ進む。ステップ１０４では、端末装置１２の制御部４は、「ウォッチリスト」ボタン２２がクリックされたかどうかを判定する。
【００６６】
「ウォッチリスト」ボタン２２がクリックされなかった場合（ステップ１０４のＮＯ）、端末装置１２の制御部４は、ステップ１０２に戻って、再び、「ウォッチリストに追加」ボタン２０がクリックされたかどうかを判定する。
【００６７】
一方、「ウォッチリスト」ボタン２２がクリックされた場合（ステップ１０４のＹＥＳ）、端末装置１２の制御部４は、ウォッチリスト２３を含むウェブページの情報を送信するように、サーバ装置１１に対して要求する（ステップ１０５）。この要求には、ユーザＩＤが含められている。サーバ装置１１の制御部１は、端末装置１２からの要求を受信すると、要求に含められているユーザＩＤに基づいてユーザを識別し、そのユーザに固有のウォッチリスト２３のウェブページを生成する。そして、サーバ装置１１の制御部１は、生成したウォッチリスト２３のウェブページの情報を端末装置１２へ送信する（ステップ２０２）。
【００６８】
ウォッチリスト２３のウェブページの生成においては、サーバ装置１１の制御部１は、記憶部２から画像情報を読み出したり、オークション情報から必要なテキスト情報を読み出したりすることによって、ウォッチリスト２３のウェブページを生成する。
【００６９】
端末装置１２の制御部４は、ウォッチリスト２３を含むウェブページの情報をサーバ装置１１から受信すると、ウォッチリスト２３を含むウェブページを表示部７の画面上に表示させる（ステップ１０６）。これにより、画面上において、出品リスト２１のウェブページがウォッチリスト２３のウェブページに遷移される。ここでの説明では、出品リスト２１のウェブページがウォッチリスト２３のウェブページに遷移される場合について説明したが、出品リスト２１のウェブページが他の出品リスト２１のウェブページに遷移するように構成することもできる。
【００７０】
図７は、画面上に表示されるウォッチリスト２３を含むウェブページの一例を示す図である。ウォッチリスト２３内には、入札者が入札するかどうか迷っていたり、気になっていたりする商品が並べて表示される。図７に示す例では、ウォッチリスト２３において、２枚のＴシャツと、１つの時計と、１足の靴が上から順番に並べて表示される場合の一例が示されている。
【００７１】
ウォッチリスト２３は、画像、商品名、入札件数、落札候補者のユーザ名、最高入札額、及び残りの時間の欄を含む。このウォッチリスト２３では、商品名の欄に「ウォッチリストに追加」ボタン２０がない点で、上記した出品リスト２１と異なっている。また、ウォッチリスト２３では、落札候補者のユーザ名の欄が追加されている点で、上記した出品リスト２１と異なっている。
【００７２】
落札候補者のユーザ名の欄には、現時点において最も高い入札額での入札を行った入札者の名前が表示される。この落札候補者のユーザ名の欄には、図３における落札候補者のユーザ名に対応する情報が表示される。すなわち、落札候補者のユーザ名の欄には、ネットワークオークションにおいて用いられるニックネームなどが表示される。
【００７３】
ウォッチリスト２３のウェブページは、出品リスト２１のウェブページとは異なり、ウォッチリスト２３に含まれる複数の商品のうち２以上の商品に対して一括して入札を行うための一括入札ボタン２４（入札操作画像）を含む。
【００７４】
図７に示す例では、ウォッチリスト２３の右側に一括入札ボタン２４が表示されている場合が示されているが、一括入札ボタン２４の位置は、ウォッチリスト２３の上、左、下などであってもよく、一括入札ボタン２４の位置については、特に制限はない。また、図７に示す例では、一括入札ボタン２４が円形である場合が示されているが、一括入札ボタン２４の形状は、楕円形、多角形などであってもよく、形状については特に制限はない。
【００７５】
さらに、ウォッチリスト２３のウェブページにおいては、出品リスト２１のウェブページとは異なり、ウォッチリスト２３に含まれる複数の商品について、それぞれ、チェックボックス２５が用意されている。このチェックボックス２５は、ウォッチリスト２３に含まれる複数の商品のうち、一括入札の対象となる商品を選択するために設けられている。
【００７６】
再び図５を参照して、ウォッチリスト２３を含むウェブページを画面上に表示させると（ステップ１０６）、次に、端末装置１２の制御部４は、チェックボックス２５に対する操作に応じてチェックボックス２５の表示状態を切り換える。例えば、入札者がマウスや、指でチェックボックス２５をクリックすると、端末装置１２の制御部４は、その操作を検出して、チェック状態での表示（チェックマーク）と非チェック状態での表示（ブランク）を切り換える。また、このとき、端末装置１２の制御部４は、チェックボックス２５に対する操作に応じて、チェックボックス２５に対するチェック状態／非チェック状態を判断する（ステップ１０７）。
【００７７】
次に、端末装置１２の制御部４は、一括入札ボタン２４がクリック（操作）されたかどうかを判定する（ステップ１０８）。一括入札ボタン２４がクリックされていない場合（ステップ１０８のＮＯ）、端末装置１２の制御部４は、ステップ１０７へ戻る。
【００７８】
例えば、入札者がマウスや、指で一括入札ボタン２４をクリックすると、端末装置１２の制御部４は、一括入札ボタン２４がクリックされたと判定し（ステップ１０８のＹＥＳ）、次のステップ１０９へ進む。ステップ１０９では、端末装置１２の制御部４は、ウォッチリスト２３に含まれる複数の商品のうち、一括入札ボタン２４での一括入札の対象となった商品(チェックボックス２５がチェック状態とされた商品)に対応する商品ＩＤと、入札者のユーザＩＤ（入札者の識別情報）とをサーバ装置１１に送信する。
【００７９】
基本的には、入札者は、ウォッチリスト２３に含まれる複数の商品のうち、２以上の商品に対してチェックボックス２５をチェック状態とした後に、一括入札ボタン２４をクリックする。このため、ステップ１０９では、基本的には、ウォッチリスト２３に含まれる複数の商品のうち、２以上の商品の商品ＩＤがサーバ装置１１に対して送信される。
【００８０】
サーバ装置１１の制御部１は、２以上の商品ＩＤと、入札者のユーザＩＤとを受信すると、受信した２以上の商品ＩＤに対応する２以上の商品について、それぞれ、図３における最高入札額を所定の更新幅（例えば、＋１００円）で更新する（ステップ２０３）。なお、図３における最高入札額が更新されると、この更新が、ウォッチリスト２３における最高入札額の欄に反映される。
【００８１】
また、このとき、サーバ装置１１の制御部１は、受信した２以上の商品ＩＤに対応する２以上の商品について、それぞれ、図３における落札候補者のＩＤを、入札者のユーザＩＤによって更新する（ステップ２０４）。なお、このとき、図３における落札候補者のユーザ名もその入札を行った入札者のユーザ名によって更新され、この更新がウォッチリスト２３の落札候補者のユーザ名の欄に反映される。
【００８２】
入札者が一括入札を行うときの操作と、そのときのネットワークオークションシステム１０の処理を、一例を挙げて具体的に説明する。
【００８３】
例えば、入札者が、図７に示すウォッチリスト２３に含まれる複数の商品のうち、星付きのＴシャツ、りんごマーク付きのＴシャツ、及び時計に対して入札を行うと決心したとする。この場合、入札者は、３つの商品のチェックボックス２５をマウスや指でクリックして、これらのチェックボックス２５をチェック状態とする。なお、星付きのＴシャツ、りんごマーク付きのＴシャツ、及び時計は、現在の最高入札額が３０００円、２５００円、２００００円であったとする。
【００８４】
３つの商品のチェックボックス２５をチェック状態とすると、次に、入札者は、マウスや指で一括入札ボタン２４をクリックする。これにより、星付きのＴシャツ、りんごマーク付きのＴシャツ、及び時計に対応する３つの商品ＩＤが端末装置１２からサーバ装置１１に送信され、また、その入札者のユーザＩＤがサーバ装置１１に送信される（ステップ１０９）。サーバ装置１１の制御部１は、３つの商品ＩＤによって識別される、星付きのＴシャツ、りんごマーク付きのＴシャツ、及び時計について、最高入札額をそれぞれ＋１００円とする。これにより、星付きのＴシャツ、りんごマーク付きのＴシャツ、及び時計の最高入札額が３１００円、２６００円、２０１００円に更新される。
【００８５】
このように、本技術では、入札者が複数の商品に対して入札を行おうとしている場合に、複数の商品に対して一括して入札を行うことができる。特に、本技術では、一括入札ボタン２４がクリックされる度に、一括入札ボタン２４による一括での入札の対象となったそれぞれの商品の最高入札額を所定の更新幅で更新させて入札を行うことができる。
【００８６】
なお、上述の説明では、端末装置１２側から入札額の情報が送信されない場合について説明したが、端末装置１２側から入札額の情報を送信することも可能である。この場合、図５のステップ１０９において、商品ＩＤ、ユーザＩＤともに、現在の最高入札額を所定の金額分上回る入札額の情報（例えば、２枚のＴシャツ、１つの時計の例では、３１００円、２６００円、２０１００円）が端末装置１２からサーバ装置１１へ送信される。
【００８７】
＜第２実施形態＞
次に、本技術の第２実施形態について説明する。第２実施形態以降の説明では、上述の第１実施形態と同様の機能及び構成を有する部分については、説明を省略又は簡略化する。
【００８８】
ここで、一括入札ボタン２４による入札の対象となる２以上の商品の中に、その入札者が既に落札候補者である商品が含まれる場合が想定される。このような場合に、一括入札ボタン２４が操作されると、その入札者が既に落札候補者である商品についても最高入札額が所定の更新幅で更新されてしまうといったことが想定される。そこで、第２実施形態では、一括入札ボタン２４による入札の対象となる２以上の商品の中に、その入札者が既に落札候補者である商品が含まれる場合には、その商品については上記更新幅による入札を有効としないといった処理が実行される。
【００８９】
図８は、第２実施形態に係るネットワークオークションシステム１０の動作を示す図である。図８におけるステップ４０３〜４０５以外の処理は、図５と同様である。
【００９０】
入札者によりマウスや指で一括入札ボタン２４がクリックされると（ステップ３０８のＹＥＳ）、一括入札ボタン２４での一括入札の対象となった商品に対応する２以上の商品ＩＤと、入札者のユーザＩＤとがサーバ装置１１に送信される（ステップ３０９）。
【００９１】
２以上の商品ＩＤと、入札者のユーザＩＤとを受信すると、サーバ装置１１の制御部１は、受信した２以上の商品ＩＤに対応する２以上の商品の中から、落札候補者のユーザＩＤと、入札者のユーザＩＤとが一致しない商品を抽出する（ステップ４０３）。
【００９２】
そして、サーバ装置１１の制御部１は、抽出された商品について、図３における最高入札額を所定の更新幅で更新する（ステップ４０４）。なお、図３における最高入札額が更新されると、この更新が、ウォッチリスト２３における最高入札額の欄に反映される。
【００９３】
また、このとき、サーバ装置１１の制御部１は、抽出された商品について、図３における落札候補者のユーザＩＤを、入札者のユーザＩＤによって更新する。なお、このとき、図３における落札候補者のユーザ名もその入札を行った入札者のユーザ名によって更新され、この更新がウォッチリスト２３の落札候補者のユーザ名の欄に反映される。
【００９４】
ここで、図７を参照して、例えば、入札者が一括入札ボタン２４をクリックすることによって、星付きのＴシャツ、りんごマーク付きのＴシャツ及び時計の最高入札額が更新され、３１００円、２６００円、２０１００円となり、これらの３つの商品の落札候補者がその入札者となったとする。そして、その後に、星付きのＴシャツ、りんご付きのＴシャツの最高入札額が他の入札者によって競り上げられて、３２００円、２７００円となったとする。
【００９５】
この場合に、入札者が一括入札ボタン２４をクリックすると、星付きのＴシャツ及びりんごマーク付きのＴシャツの最高入札額が、３３００円、２８００円に更新される。一方で、時計の落札候補者は、その入札者であるため、時計の最高入札額は更新されずに、２０１００円のままとされる。
【００９６】
このように、第２実施形態では、その入札者が既に落札候補者である商品についても最高入札額が所定の更新幅で更新されてしまうといったことを防止することができる。
【００９７】
＜第３実施形態＞
次に、本技術の第３実施形態について説明する。第３実施形態では、一括での入札の対象となった２以上の商品に基づいて、入札者に対して推奨を行うための他の商品が選択される。そして、選択された他の商品の情報が通信部３から端末装置１２に送信される。
【００９８】
ここで、入札者によって一括入札ボタン２４がクリックされて端末装置１２から２以上の商品ＩＤと、入札者のユーザＩＤとがサーバ装置１１に送信され、これらのＩＤがサーバ装置１１によって受信されたとする。この場合、サーバ装置１１の制御部１は、受信した２以上の商品ＩＤに対応する２以上の商品（一括での入札の対象となった商品）について、図３に示すテーブルを参照して、それらの商品を出品した出品者のユーザＩＤ（出品者の識別情報）を抽出する。
【００９９】
そして、サーバ装置１１の制御部１は、抽出された出品者のユーザＩＤに基づいて、一括での入札の対象となった２以上の商品の中に、共通の出品者によって出品された商品が含まれるかどうかを判定する。そして、サーバ装置１１の制御部１は、共通の出品者によって出品された商品が含まれる場合に、共通の出品者によって出品された他の商品の情報を通信部３から端末装置１２に送信させる。
【０１００】
例えば、図７を参照して、星付きのＴシャツと、りんごマーク付きのＴシャツとが同一の出品者によって出品されている場合を想定する。この場合、一括入札ボタン２４が入札者によってクリックされると、一括での入札の対象となった３つの商品（２枚のＴシャツ、１つの時計）のうち、２枚のＴシャツが同じ出品者によって出品されたと判定される。この場合、その出品者によって出品された他の商品が推奨される。買い手がつかないためもうすぐ値下がりする商品が他の商品に含まれる場合には、その商品が優先的に推奨されてもよい。
【０１０１】
例えば、その出品者が音符付きのＴシャツを出品していたとする。この場合、一括入札ボタン２４がクリックされて、現在のウェブページが更新されるときに、その音符付きのＴシャツの情報を含むウェブページの情報がサーバ装置１１から端末装置１２へ送信されて表示部７の画面上に表示される。入札者が音符付きのＴシャツを気に入って、そのＴシャツをウォッチリスト２３に追加したとする。
【０１０２】
図９は、音符付きのＴシャツがウォッチリスト２３に追加されたときの様子を示す図である。入札者は、その音符付きのＴシャツについても一括入札を希望する場合には、音符付きのＴシャツに対応するチェックボックス２５をチェック状態する。入札者は、一括入札ボタン２４をクリックすることによって、３枚のＴシャツと、１つの時計に対して一括して入札を行うことができる。
【０１０３】
推奨の他の方法としては、商品の種類に基づく方法が挙げられる。ここで、入札者によって一括入札ボタン２４がクリックされて端末装置１２から２以上の商品ＩＤと、入札者のユーザＩＤとがサーバ装置１１に送信され、これらのＩＤがサーバ装置１１によって受信されたとする。この場合、サーバ装置１１の制御部１は、受信した２以上の商品ＩＤに対応する２以上の商品（一括での入札の対象となった商品）について、図３に示すテーブルを参照して、それらの商品のジャンル（商品の種類の情報）を抽出する。
【０１０４】
そして、サーバ装置１１の制御部１は、抽出された商品のジャンルに基づいて、一括での入札の対象となった２以上の商品の中に、共通のジャンルの商品が含まれるかどうかを判定する。そして、サーバ装置１１の制御部１は、共通のジャンルの商品が含まれる場合に、その商品と同じ種類の他の商品の情報を通信部３から端末装置１２に送信させる。買い手がつかないためもうすぐ値下がりする商品が他の商品に含まれる場合には、その商品が優先的に推奨されてもよい。
【０１０５】
＜第４実施形態＞
次に、本技術の第４実施形態について説明する。
ここで、例えば、図９を参照して、入札者が一括入札ボタン２４をクリックすることによって、３枚のＴシャツと１つの時計について、一括して入札を行っている場合を想定する。このような場合に、入札者が３枚のＴシャツの入札に気を取られていて、時計の最高入札額が急激に上昇していることに気付かないような場合も想定される。このような場合に、入札者が一括入札ボタン２４をクリックしてしまうと、入札者の意図に反して高額な入札を行ってしまうことになる。従って、第４実施形態では、このような入札者の意図に反する高額な入札を防止するため処理が実行される。
【０１０６】
まず、サーバ装置１１の制御部１は、インターネットオークションに出品された全ての商品について、最高入札額の履歴を記憶部２に記憶させる。そして、サーバ装置１１は、記憶部２に記憶された履歴に基づいて、現在時刻から所定時間前（３０分前、１時間前等）の時刻における最高入札額を基準としたときの、現在時刻における最高入札額の上昇率を判定する。
【０１０７】
そして、サーバ装置１１の制御部１は、一括入札ボタン２４がクリックされて端末装置１２から２以上の商品ＩＤと、入札者のユーザＩＤとを受信したとき、受信した２以上の商品ＩＤに対応する２以上の商品（一括での入札の対象となった商品）の中に、最高入札額の上昇率が閾値を超える商品が含まれるかどうかを判定する。
【０１０８】
そして、サーバ装置１１の制御部１は、上昇率が閾値を超える商品が含まれる場合、上昇率が閾値を超える商品について入札を行うかどうかを確認するための画像を表示させるように端末装置１２に通知する。
【０１０９】
図１０は、確認画像２８が端末装置１２の画面上に表示されたときの様子を示す図である。図１０に示す例では、確認画像２８は、ポップアップ画像として表示されている。確認画像２８には、「急に最高入札額が上がった商品が含まれています」といった、注意を喚起する文字が書かれている。また、確認画像２８に対しては、「入札する」ボタン２６と、「キャンセル」ボタン２７が設けられている。「入札する」ボタン２６が入札者によってクリックされると、一括入札が実行される。一方、「キャンセル」ボタン２７が入札者によってクリックされると、一括入札がキャンセルされる。
【０１１０】
このような確認画像２８が表示されることによって、入札者の意図に反して高額な入札が行われてしまうといったことを防止することができる。
【０１１１】
ここで、サーバ装置１１の制御部１は、上昇率が閾値を超える商品が含まれる場合、上昇率が閾値を超える商品以外の商品について、最高入札額の更新するといった処理を実行してもよい。例えば、上昇率が閾値を超える時計以外の３枚のＴシャツについて、最高入札額が更新される。一方、上昇率が閾値を超える時計については、最高入札額が更新されない。また、この場合、最高額が更新されなかったことを示す情報がウェブページ上に表示される。あるいは、最高額が更新されなかったことが電子メールによって通知される。
【０１１２】
このような方法によっても、入札者の意図に反して高額な入札が行われてしまうといったことを防止することができる。
【０１１３】
なお、例えば、オークションの開始価格が低い（例えば、１円）ような場合には、最高入札額が少し競り上げられただけで、上昇率が高くなってしまうようなことが考えられる。この場合、最高入札額が低いにも関わらず、確認画像２８などが頻繁に表示されてしまうことになる。そこで、例えば、最高入札額が一定の金額以上となったときに初めて上記した上昇率を判定する処理を実行してもよい。
【０１１４】
また、入札者の意図しない高額な入札を防止するための他の方法としては、一括入札ボタン２４の入札の対象となる商品について、予め入札者が最高額を入力しておくといった方法が挙げられる。この場合、一括での入札の対象となる２以上の商品のうち、すくなくとも１つの商品の入札額が最高額を超える場合、確認画像が画面上に表示される。或いは、一括での入札の対象となる２以上の商品のうち、入札額が最高額を超える商品については、入札が有効とされない。
【０１１５】
＜各種変形例＞
上述の実施形態では、一括入札ボタン２４がクリックされたときの最高入札額の更新幅（＋１００円）が現在の最高入札額の大きさに関わらず、各商品で一定である場合について説明した。一方、端末装置１２の制御部４は、一括での入札の対象となった２以上の商品におけるそれぞれの最高入札額に基づいて、２以上の商品におけるそれぞれの更新幅を可変に制御してもよい。例えば、現在の最高入札額が大きくなるに従って更新幅も大きくなるように更新幅が制御される。例えば、更新幅は、現在の最高入札額が１０００円未満である場合には、１０円、１０００円以上５０００円未満の場合には、１００円、５０００円以上１００００円未満の場合には２５０円、１万円以上の場合には、５００円とされる。
【０１１６】
ここで、サーバ装置１１の制御部１は、自動入札処理を実行してもよい。この場合、サーバ装置１１の記憶部２には、自動的に入札が行われる自動入札の最高額である自動入札最高額が記憶される。この自動入札最高額は、入札者によって端末装置１２を用いて入力されて、サーバ装置１１に送信される。
【０１１７】
自動入札処理においては、サーバ装置１１の制御部１は、最高入札額と、自動入札最高額とを比較し、自動入札最高額が最高入札額よりも高い場合には、自動入札最高額を上限として、最高入札額を超える入札額で最高入札額を自動的に更新する。なお、この処理は、最高入札額での入札を行った入札者と、自動入札最高額を設定した入札者とが異なる場合に実行される。
【０１１８】
入札者Ｂが自動入札最高額を設定している状態で、これに対抗して入札者Ａが一括入札ボタン２４をクリックしなが商品に対して入札を行う場合を想定する。自動入札最高額は、１００００円に設定されており、現在の最高入札額が自動入札処理によって１０００円に設定されているとする。この場合、入札者Ａによって、一括入札ボタン２４がクリックされると、商品の最高入札額が１１００円に更新され、落札候補者が入札者Ｂから入札者Ａに変更される。一方、入札者Ｂによって設定された自動入札最高額は、１００００円であり、現在の最高入札額である１１００円よりも大きいため、自動入札処理によって、最高入札額１１００円が１２００円に自動的に更新される。
【０１１９】
入札者Ｂによって設定された自動入札最高額に入札者Ａが競り勝つには、何度も一括入札ボタン２４をクリックする必要がある。そこで、このような煩わしい繰り返しのクリックを防止するような処理が実行されてもよい。
【０１２０】
この場合、サーバ装置１１の制御部１は、一括入札ボタン２４へのクリックが端末装置１２によって検出されたとき、現在の最高入札額及び自動入札最高額の比率を判定し、比率に基づいて、更新幅を可変に制御してもよい。典型的には、更新幅は、最高入札額に対する自動入札最高額の比率が大きくなるに従って、大きくなるように制御される。これにより、上記したような煩わしい繰り返しのクリックを防止することができる。
【０１２１】
上述の説明では、ウォッチリスト２３を含むウェブページ上に一括入札ボタン２４が設けられる場合について説明した。一方、一括入札ボタン２４は、入札した商品リスト（過去に入札したことがある商品が並べられるリスト）を含むウェブページ上に設けられていてもよい。この入札した商品リストは、図７、図９に示すウォッチリスト２３と同様に、画像、商品名、入札件数、落札候補者、残り時間の欄を含む。
【０１２２】
入札した商品リストは、ウォッチリスト２３に比べて、入札する意思が高い商品が並べられたリストであるため、この入札した商品リストに対しては、必ずしもチェックボックス２５を設ける必要はない。
【０１２３】
あるいは、一括入札ボタン２４は、一括入札のために特別に設けられた専用のリストを含むウェブページ上に設けられていてもよい。この場合にも、チェックボックス２５は必ずしも設ける必要はない。
【符号の説明】
【０１２４】
１…制御部
２…記憶部
３…通信部
４…制御部
５…記憶部
６…通信部
１０…ネットワークオークションシステム
１１…サーバ装置
１２…端末装置
２３…ウォッチリスト
２４…一括入札ボタン
【要約】
【課題】ネットワークオークションにおいて、入札者が複数の商品に対して入札を行おうとしている場合に、複数の商品に対して一括して入札を行うことができる技術を提供すること。
【解決手段】本技術に係るサーバ装置は、記憶部と、通信部と、制御部とを具備する。前記記憶部は、ネットワークオークションに出品された複数の商品について、それぞれ、現在の最高入札額を記憶する。前記通信部は、前記複数の商品が並べられたリストと、前記リストに含まれる前記複数の商品のうち２以上の商品に対して一括して入札を行うための入札操作画像とを含むウェブページの情報を、端末装置からの要求に応じて前記端末装置に送信する。前記制御部は、前記入札操作画像に対する操作が前記端末装置によって検出されたとき、一括での入札の対象となった前記２以上の商品について、それぞれ、前記最高入札額を所定の更新幅で更新する。
【選択図】図７【図１】
0005559446.tif 000002
【図２】
0005559446.tif 000003
【図３】
0005559446.tif 000004
【図４】
0005559446.tif 000005
【図５】
0005559446.tif 000006
【図６】
0005559446.tif 000007
【図７】
0005559446.tif 000008
【図８】
0005559446.tif 000009
【図９】
0005559446.tif 000010
【図１０】
0005559446.tif 000011